(57)【要約】【課題】奏者がシンバルの外周端部を打撃するときの打撃音を低減させつつ、音質の変化を小さくできると共に打撃後の余韻を残存させることができるシンバル用減音具を提供すること。【解決手段】シンバル１０の裏面側に配置される揺動支点部２１が揺動可能に支持され、揺動支点部２１から第１揺動部２２が延び、揺動支点部２１から第１揺動部２２とは反対側に第２揺動部２３が延びる。シンバル１０のエッジ部１３の代わりに第２揺動部２３に設けられる被打撃部２３ａが打撃されると、揺動支点部２１を支点に第１揺動部２２及び第２揺動部２３が揺動し、第１揺動部２２に設けられる第１接触部２２ｂがシンバル１０に接触することでシンバル１０が打撃される。その結果、奏者がエッジ部１３を打撃するときの打撃音を低減させつつ、音質の変化を小さくできると共に打撃後の余韻を残存させることができる。【選択図】図３
2019117309.tif 000002
【特許請求の範囲】
【請求項１】
表面が打撃される円板状のアコースティックのシンバルの裏面側に配置されて揺動可能に支持される揺動支点部と、
前記揺動支点部から延びる、前記シンバルとは非接触の第１揺動部と、
前記揺動支点部から前記第１揺動部とは反対側へ延びる、前記シンバルとは非接触の第２揺動部と、
前記第１揺動部に設けられる、前記揺動支点部の揺動により前記シンバルと接触する第１接触部と、
前記第２揺動部に設けられる、前記シンバルの外周端部よりも径方向外側に位置する被打撃部とを備えることを特徴とするシンバル用減音具。
【請求項２】
前記揺動支点部は、前記シンバルを揺動可能に支持するスタンドに揺動可能に支持されることを特徴とする請求項１記載のシンバル用減音具。
【請求項３】
前記第２揺動部に設けられる、前記揺動支点部の揺動により前記シンバルと接触する第２接触部を備えることを特徴とする請求項１又は２に記載のシンバル用減音具。
【請求項４】
前記被打撃部は、前記シンバルの外周端部に沿って立ち上がることを特徴とする請求項１から３のいずれかに記載のシンバル用減音具。
【請求項５】
前記第１揺動部および前記第２揺動部の少なくとも一方は、前記シンバルよりも剛性が低いことを特徴とする請求項１から４のいずれかに記載のシンバル用減音具。
【請求項６】
前記被打撃部および前記第１接触部の少なくとも一方は、所定の弾性を有することを特徴とする請求項１から５のいずれかに記載のシンバル用減音具。
【請求項７】
打撃を検出する第１センサを備えることを特徴とする請求項１から６のいずれかに記載のシンバル用減音具。
【請求項８】
前記第１揺動部または前記第２揺動部は、前記シンバルの外周端部に対向する部分の裏側に設けられると共に接触を検出する第２センサを備えることを特徴とする請求項７記載のシンバル用減音具。
【発明の詳細な説明】
【技術分野】
【０００１】
本発明はシンバル用減音具に関し、特に奏者がシンバルの外周端部を打撃するときの打撃音を低減させつつ、音質の変化を小さくできると共に打撃後の余韻を残存させることができるシンバル用減音具に関するものである。
【背景技術】
【０００２】
アコースティックのシンバルに装着した状態で演奏を行うことにより、シンバルを打撃するときに発生する音を低減させるシンバル用減音具が知られている。例えば、ゴム等の弾性体をシンバルの表面（打撃される面）や外周端部に取り付け、その弾性体を介してシンバルを打撃することで、打撃により発生する音（打撃音）を低減できるシンバル用減音具が開示されている（特許文献１）。
【先行技術文献】
【特許文献】
【０００３】
【特許文献１】特開平８−２７２３５９号公報
【発明の概要】
【発明が解決しようとする課題】
【０００４】
しかし、ゴム等の弾性体をシンバルに接触させた状態ではシンバルの自由な振動が弾性体により妨げられるので、アコースティックのシンバルに比べて音質が大きく変化するという問題点や、打撃後の余韻が極端に短くなるという問題点がある。
【０００５】
本発明は上述した問題点を解決するためになされたものであり、奏者がシンバルの外周端部を打撃するときの打撃音を低減させつつ、音質の変化を抑制できると共に打撃後の余韻を残存させることができるシンバル用減音具を提供することを目的とする。
【課題を解決するための手段および発明の効果】
【０００６】
この目的を達成するために、請求項１記載のシンバル用減音具によれば、表面が打撃される円板状のアコースティックのシンバルの裏面側に配置される揺動支点部が揺動可能に支持され、揺動支点部から第１揺動部が延び、揺動支点部から第１揺動部とは反対側へ第２揺動部が延びる。第２揺動部に設けられる被打撃部がシンバルの外周端部よりも径方向外側に位置するので、奏者がシンバルの外周端部を打撃するとき、シンバルの外周端部の代わりに被打撃部を打撃できる。奏者により被打撃部が打撃されると、揺動支点部を支点に第１揺動部および第２揺動部が揺動し（揺動支点部が揺動し）、第１揺動部に設けられる第１接触部がシンバルに接触することで打撃音が発生する。被打撃部、第２揺動部および第１揺動部を介して第１接触部によりシンバルが打撃されるので、シンバルへの打撃力を低減できる。その結果、打撃音を低減できる。また、被打撃部を打撃した際にシンバルの外周端部が奏者により直接打撃されることもあるが、被打撃部を打撃した分だけシンバルの外周端部への打撃力を低減できるので、打撃音を低減できる。
【０００７】
第１接触部がシンバルに接触した後、第１揺動部の揺動により第１接触部がシンバルから離れるので、シンバルの自由な振動が妨げられることを抑制できる。そのため、音質の変化を抑制できると共に、打撃後の余韻を残存させることができる。
【０００８】
第１揺動部の揺動により第１接触部がシンバルから離れた後、被打撃部を打撃したときの力にもよるが、第１揺動部の揺れが小さくなるまで第１揺動部の揺動により第１接触部がシンバルと複数回接触する。第１接触部とシンバルとの接触毎にシンバルの振動が弱まるので、所定の音量まで打撃後の余韻を早期に減衰できる。
【０００９】
さらに、第１揺動部および第２揺動部とシンバルとが非接触なので、揺れが小さくなって第１接触部とシンバルとの接触がなくなると、シンバルの自由な振動が妨げられることを抑制できる。以上のように、奏者がシンバルの外周端部を打撃するときの打撃音を低減させつつ、音質の変化を抑制できると共に打撃後の余韻を残存させることができる効果がある。
【００１０】
請求項２記載のシンバル用減音具によれば、シンバルを揺動可能に支持するスタンドに揺動支点部が揺動可能に支持されるので、揺動支点部を支持するための部材を新たに設ける必要がない。従って、請求項１の効果に加え、シンバルへのシンバル用減音具の装着を容易にできると共に部品コストを抑制できる効果がある。
【００１１】
請求項３記載のシンバル用減音具によれば、第２揺動部に設けられる第２接触部が揺動支点部の揺動によりシンバルと接触するので、第１揺動部および第２揺動部（揺動支点部）の揺動の１周期毎にシンバルと第１接触部および第２接触部とが接触する。シンバルと第１揺動部および第２揺動部との接触がなくなるまでの打撃後の余韻をより早期に減衰できるので、請求項１又は２の効果に加え、打撃後の余韻を残しつつ、余韻の音量を低減できる効果がある。
【００１２】
請求項４記載のシンバル用減音具によれば、被打撃部がシンバルの外周端部に沿って立ち上がるので、請求項１から３のいずれかの効果に加え、奏者がシンバルの外周端部を打撃するとき、シンバルの外周端部の代わりに被打撃部を打撃し易くできる効果がある。
【００１３】
請求項５記載のシンバル用減音具によれば、第１揺動部および第２揺動部の少なくとも一方はシンバルよりも剛性が低いので、被打撃部を打撃したときの衝撃を、第１揺動部および第２揺動部の少なくとも一方の変形により吸収して第１接触部へ伝達できる。第１接触部によりシンバルを打撃するときの打撃力を低減できるので、請求項１から４のいずれかの効果に加え、打撃音の低減性能を向上できる効果がある。
【００１４】
請求項６記載のシンバル用減音具によれば、被打撃部および第１接触部の少なくとも一方は、所定の弾性を有する。被打撃部が所定の弾性を有する場合、奏者が被打撃部を打撃したときの衝撃を被打撃部により緩衝できる。第１接触部が所定の弾性を有する場合、第１接触部がシンバルを打撃したときの衝撃を第１接触部により緩衝できる。これらの結果、請求項１から５のいずれかの効果に加え、打撃音の低減性能を向上できる効果がある。
【００１５】
請求項７記載のシンバル用減音具によれば、打撃を検出する第１センサを備えるので、請求項１から６のいずれかの効果に加え、アコースティックのシンバルを電子シンバルとして利用できる効果がある。
【００１６】
請求項８記載のシンバル用減音具によれば、接触を検出する第２センサが、第１揺動部または第２揺動部の外周端部に対向する部分の裏側に設けられるので、請求項７の効果に加え、第２センサにより第１揺動部または第２揺動部の接触を検知できる効果がある。
【図面の簡単な説明】
【００１７】
【図１】シンバルスタンドに支持されたシンバル及び本発明の第１実施の形態におけるシンバル用減音具の分解立体図である。
【図２】シンバルスタンドに支持されたシンバル及びシンバル用減音具の底面図である。
【図３】図２のＩＩＩ−ＩＩＩ線における非揺動時のシンバル及びシンバル用減音具の断面図である。
【図４】打撃時のシンバル及びシンバル用減音具の断面図である。
【図５】打撃後のシンバル及びシンバル用減音具の断面図である。
【図６】第２実施の形態におけるシンバル用減音具の底面図である。
【図７】クローズ状態のハイハットスタンドに支持されたハイハットシンバル及び第３実施の形態におけるシンバル用減音具の断面図である。
【図８】オープン状態のハイハットスタンドに支持されたハイハットシンバル及びシンバル用減音具の断面図である。
【図９】シンバル用減音具の底面図である。
【図１０】シンバルスタンドに支持されたシンバル及び第４実施の形態におけるシンバル用減音具の断面図である。
【図１１】シンバル用減音具の底面図である。
【図１２】シンバルスタンドに支持されたシンバル及び第５実施の形態におけるシンバル用減音具の断面図である。
【発明を実施するための形態】
【００１８】
以下、本発明の好ましい実施の形態について、添付図面を参照して説明する。まず、図１及び図２を参照して、シンバルスタンド１、シンバル１０及びシンバル用減音具２０の概略構成について説明する。図１はシンバルスタンド１に支持されたシンバル１０及び本発明の第１実施の形態におけるシンバル用減音具２０の分解立体図であり、図２はシンバルスタンド１に支持されたシンバル１０及びシンバル用減音具２０の底面図である。なお、図１及び図２ではシンバルスタンド１のシンバル取付部のみを図示し、他の部分（脚部等）の図示を省略している（図３〜５，１０，１２も同様）。また、図１及び図２の矢印Ｕ，Ｄ，Ｆ，Ｂ，Ｌ，Ｒ方向がそれぞれ、シンバルスタンド１、シンバル１０及びシンバル用減音具２０の上方向、下方向、前方向、後方向、左方向、右方向を示している（図３〜１２も同様）。
【００１９】
図１に示すように、シンバルスタンド１は、シンバル１０を奏者が演奏し易い位置に配置するためのスタンドであり、棒状のロッド２と、ロッド２が挿入される３つのシンバルワッシャ３と、ロッド２の先端（矢印Ｕ方向の端部）側に取り付けられる締付ナット４とを備えている。ロッド２は、シンバル１０が支持される金属製の部位であり、ロッド２の先端から所定距離離れた位置に鍔状の金属ワッシャ２ａが形成され、ロッド２の先端側の外周におねじが設けられる。
【００２０】
シンバルワッシャ３は、フェルトにより構成される円筒状の部材であり、シンバルワッシャ３の内径がロッド２の外径よりも大きく設定されると共に、シンバルワッシャ３の外径が金属ワッシャ２ａの外径と略同等に設定される。締付ナット４は、ロッド２に設けられたおねじに取り付けられるナットであり、シンバルワッシャ３の移動を規制する。
【００２１】
シンバル１０は、奏者により表面（矢印Ｕ方向側の面）が打撃される金属製のアコースティックのクラッシュシンバルである。シンバル１０は、中心部分に形成されるベル部１１と、ベル部１１の外縁から鍔状に延びて設けられるボウ部１２と、ボウ部１２の外周端部分（シンバル１０の外周端から僅かにベル部１１側の部分）を構成するエッジ部１３（外周端部）とからなる。
【００２２】
ベル部１１は、中心から径方向外側へ向けて下降傾斜する椀状の部位であり、ベル部１１の中心にはロッド２が挿入される挿入孔１１ａが設けられる。ボウ部１２及びエッジ部１３は、ベル部１１から径方向外側へ向けて下降傾斜する円環状の部位であり、径方向における傾斜がベル部１１の傾斜よりも緩やかに形成される。
【００２３】
シンバル用減音具２０は、奏者がシンバル１０のエッジ部１３を打撃するときの打撃音を低減させるためのＡＢＳ樹脂製の円板状の器具であり、中心部分に形成される揺動支点部２１と、揺動支点部２１から延びる第１揺動部２２と、揺動支点部２１から第１揺動部とは反対側へ延びる第２揺動部２３とを備えている。揺動支点部２１は、中心から径方向外側へ向けて下降傾斜する椀状の部位であり、ロッド２が挿入される揺動支点孔２１ａが揺動支点部２１の中心を板厚方向に貫通して設けられる。
【００２４】
第１揺動部２２は、揺動支点部２１の外縁から鍔状に延びて設けられる円環状の部位のうち、奏者から離れた側（矢印Ｂ方向側）の半周部分である。第２揺動部２３は、揺動支点部２１の外縁から鍔状に延びて設けられる円環状の部位のうち、奏者側（矢印Ｆ方向側）の半周部分である。
【００２５】
第１揺動部２２及び第２揺動部２３は、揺動支点部２１の傾斜よりも緩やかに径方向外側へ向けて下降傾斜するように形成され、板厚方向に第１揺動部２２及び第２揺動部２３を略扇状に貫通する５つの肉抜き孔２４が揺動支点部２１から放射状に設けられる。なお、肉抜き孔２４の形状や位置は適宜変更可能である。シンバル用減音具２０は、第１揺動部２２及び第２揺動部２３の外縁の全周からそれぞれ略垂直に立ち上がる被打撃部２２ａ，２３ａを備える。
【００２６】
図２に示すように、シンバル用減音具２０は、揺動支点部２１の裏面（矢印Ｄ方向側の面）の揺動支点孔２１ａよりも奏者側の位置に振動センサ２６（第１センサ）が装着され、第２揺動部２３の外縁に沿って円弧状に設けられる接触センサ２８（第２センサ）が第２揺動部２３の裏面（矢印Ｄ方向側の面）に装着される。振動センサ２６は、シンバル用減音具２０の振動を検出してシンバル用減音具２０への打撃を検出するピエゾセンサである。接触センサ２８は、圧力変化を検知することで接触を検出するシート状のメンブレンスイッチである。
【００２７】
次に、図３を参照して、シンバル１０へのシンバル用減音具２０の装着方法、装着後のシンバル１０とシンバル用減音具２０との関係について説明する。図３は、図２のＩＩＩ−ＩＩＩ線における非打撃時のシンバルスタンド１に支持されたシンバル１０及びシンバル用減音具２０の断面図である。図３に示すように、シンバル用減音具２０をシンバル１０に装着する（シンバル１０及びシンバル用減音具２０をロッド２に支持する）には、まず、シンバルワッシャ３をロッド２に差し込んで金属ワッシャ２ａ上にシンバルワッシャ３を載置する。
【００２８】
次に、シンバル用減音具２０を裏面側からロッド２に差し込み、シンバルワッシャ３をロッド２に差し込む。その後、シンバル１０を裏面側からロッド２に差し込み、シンバルワッシャ３をロッド２に差し込む。最後に、ロッド２に締付ナット４を締め付けることで、締付ナット４と金属ワッシャ２ａとの間でシンバルワッシャ３にそれぞれ挟まれたシンバル１０及びシンバル用減音具２０が締付固定される。
【００２９】
このようにして、シンバル１０の裏面側にシンバル用減音具２０が配置された状態でロッド２を介してシンバル用減音具２０がシンバル１０に装着される。フェルト製のシンバルワッシャ３は所定の弾性を有するので、シンバル１０及びシンバル用減音具２０はロッド２に揺動可能に支持される。締付ナット４による締付を調整することで、シンバル１０及びシンバル用減音具２０の揺動の仕方を調整できると共に、シンバル１０とシンバル用減音具２０との距離を調整できる。このとき、非揺動時のシンバル１０とシンバル用減音具２０とが接触しないように締付ナット４の締付が調整される。
【００３０】
シンバル１０に装着した状態のシンバル用減音具２０について説明する。シンバル用減音具２０は、第１揺動部２２に設けられる第１接触部２２ｂと、第２揺動部２３に設けられる第２接触部２３ｂとを備える。第１接触部２２ｂ及び第２接触部２３ｂは、揺動支点部２１（シンバル用減音具２０）の揺動によりシンバル１０と接触する部位である。なお、シンバル用減音具２０は、揺動時にシンバル１０と接触しない部位が第１揺動部２２及び第２揺動部２３である。また、非揺動時には、第１揺動部２２、第２揺動部２３、第１接触部２２ｂ及び第２接触部２３ｂがシンバル１０と接触しない。本実施の形態では、第１接触部２２ｂ及び第２接触部２３ｂは、シンバル用減音具２０のエッジ部１３と対向する面である。
【００３１】
揺動支点部２１は、径方向における傾斜がベル部１１の傾斜と略同等に形成される。第１揺動部２２及び第２揺動部２３は、径方向における傾斜が、非揺動時にシンバル１０とシンバル用減音具２０とが接触しない程度に、ボウ部１２及びエッジ部１３の傾斜よりも緩やかに形成されると共に、外径がシンバル１０の外径よりも大きく形成される。
【００３２】
被打撃部２２ａ，２３ａは、エッジ部１３よりも径方向外側に位置し、シンバル１０及びシンバル用減音具２０の揺動時に被打撃部２２ａ，２３ａとエッジ部１３とが接触しない程度にエッジ部１３から僅かに離れつつ、エッジ部１３に沿って立ち上がる。非揺動時の被打撃部２２ａ，２３ａは、エッジ部１３の表面に対して６０°〜１２０°の角度で立ち上がることが好ましい。
【００３３】
被打撃部２２ａ，２３ａの先端（矢印Ｕ方向側の端部）は、シンバル１０の外周端よりもロッド２の先端側に位置する。被打撃部２２ａ，２３ａの基端（矢印Ｄ方向側の端部）から先端までの高さは、非揺動時の第１接触部２２ｂ及び第２接触部２３ｂとエッジ部１３との距離の２倍以上に設定される。
【００３４】
次に、図４及び図５を参照して、奏者がエッジ部１３を打撃するときのシンバル用減音具２０の動作について説明する。図４は打撃時（奏者がエッジ部１３を打撃するとき）のシンバル１０及びシンバル用減音具２０の断面図であり、図５は打撃後のシンバル１０及びシンバル用減音具２０の断面図である。
【００３５】
図４に示すように、被打撃部２２ａ，２３ａがエッジ部１３よりも径方向外側に位置するので、奏者がスティックＳによりエッジ部１３の奏者側を打撃するとき、エッジ部１３の代わりに奏者側の被打撃部２３ａを打撃できる。被打撃部２３ａがＡＢＳ樹脂製なので、金属製のエッジ部１３をスティックＳで打撃した場合と比べて被打撃部２３ａを打撃した場合の音を低減できる。
【００３６】
被打撃部２３ａがエッジ部１３に沿って立ち上がるので、奏者がエッジ部１３を打撃するとき、エッジ部１３の代わりに被打撃部２３ａを打撃し易くできる。また、非揺動時の被打撃部２２ａ，２３ａがエッジ部１３の表面に対して６０°〜１２０°の角度で立ち上がることで、エッジ部１３の代わりに被打撃部２３ａをより打撃し易くできる。さらに、非揺動時の被打撃部２２ａ，２３ａの先端がシンバル１０の外周端よりもロッド２の先端側に位置するので、奏者がエッジ部１３を打撃するとき、奏者が被打撃部２３ａを狙わなくとも被打撃部２３ａを打撃できる。
【００３７】
被打撃部２３ａが奏者により打撃されると、揺動支点部２１の揺動支点孔２１ａを支点にシンバル用減音具２０（第１揺動部２２及び第２揺動部２３）が揺動し、第１接触部２２ｂがエッジ部１３に接触してエッジ部１３が打撃される。被打撃部２３ａが打撃された位置に対し揺動支点孔２１ａを間に挟んだ位置で第１接触部２２ｂとエッジ部１３とが接触する。
【００３８】
このように被打撃部２３ａ、第２揺動部２３及び第１揺動部２２を介して第１接触部２２ｂによりエッジ部１３が打撃されるので、第１接触部２２ｂによりエッジ部１３を打撃するときの力（エッジ部１３への打撃力）を低減できる。その結果、エッジ部１３を打撃したときの音色を発生させつつ、打撃音を低減できる。
【００３９】
また、奏者がエッジ部１３を打撃するときのスティックＳの角度や、奏者がエッジ部１３を打撃するときの強さによっては、被打撃部２３ａを打撃した際にエッジ部１３が奏者により直接打撃されることがある。この場合でも被打撃部２３ａを打撃した分だけエッジ部１３への打撃力を低減できるので、エッジ部１３を打撃したときの音色を発生させつつ、打撃音を低減できる。
【００４０】
被打撃部２３ａが打撃された後（打撃後）、エッジ部１３と第１接触部２２ｂとの接触による反動でシンバル１０とシンバル用減音具２０とが互いに逆位相で揺動するので、エッジ部１３と第１接触部２２ｂとが離れる（図３参照）。その結果、シンバル１０の自由な振動が妨げられることを抑制できるので、音質の変化を抑制できると共に打撃後の余韻を残存させることができる。
【００４１】
さらに、打撃後のシンバル１０及びシンバル用減音具２０の揺動により、図５に示すように、第２接触部２３ｂがエッジ部１３に接触する。第２接触部２３ｂの周方向において被打撃部２３ａが打撃された位置と略同じ位置で第２接触部２３ｂとエッジ部１３とが接触する。
【００４２】
さらに、エッジ部１３と第２接触部２３ｂとの接触による反動でシンバル１０とシンバル用減音具２０とが互いに逆位相で揺動し、第１接触部２２ｂがエッジ部１３に再び接触する（図４参照）。このように、シンバル１０及びシンバル用減音具２０の揺れが小さくなるまで、エッジ部１３が第１接触部２２ｂ及び第２接触部２３ｂと交互に複数回接触する。エッジ部１３と第１接触部２２ｂ及び第２接触部２３ｂとの接触毎にシンバル１０の振動を弱めることができるので、所定の音量まで打撃後の余韻を早期に減衰できる。
【００４３】
なお、被打撃部２３ａを打撃したときの力が比較的弱いと、打撃後にエッジ部１３と第１接触部２２ｂ及び第２接触部２３ｂとが接触しない場合もあるが、打撃後の余韻の音量は小さい。また、被打撃部２３ａを打撃したときの力が強い程、打撃後の余韻の音量は大きいが、エッジ部１３と第１接触部２２ｂ及び第２接触部２３ｂとの接触回数が増加する。そのため、被打撃部２３ａを打撃したときの力に係わらず、打撃後の余韻の音量を所定値まで早期に下げることができる。
【００４４】
さらに、シンバル１０と第１揺動部２２及び第２揺動部２３とが非接触（シンバル１０と接触する部分は第１接触部２２ｂ及び第２接触部２３ｂだけ）なので、シンバル１０及びシンバル用減音具２０の揺れが小さくなり、エッジ部１３と第１接触部２２ｂ及び第２接触部２３ｂとの接触がなくなると、シンバル１０の自由な振動が妨げられることを抑制できる。以上のようにシンバル用減音具２０によれば、奏者がエッジ部１３を打撃するときの打撃音を低減させつつ、音質の変化を抑制できると共に打撃後の余韻を残存させることができる。また、打撃後の余韻が残存するので、エッジ部１３を奏者が掴むことで余韻をなくすチョーク奏法ができる。
【００４５】
揺動支点部２１がロッド２（シンバルスタンド１）に支持されるので、揺動支点部２１を支持するための部材を新たに設ける必要がない。２つのシンバルワッシャ３でシンバル１０を挟んで支持する既存のシンバルスタンドにシンバルワッシャ３を１つ追加することで、既存のシンバルスタンドを用いてシンバル用減音具２０を支持し、シンバル用減音具２０をシンバル１０に装着できる。従って、シンバル１０へのシンバル用減音具２０の装着を容易にできると共に部品コストを抑制できる。
【００４６】
シンバル用減音具２０がＡＢＳ樹脂製なので、シンバル用減音具２０は比較的軽く、第１接触部２２ｂによりエッジ部１３を打撃するときの打撃力を低減できる。さらに、肉抜き孔２４によりシンバル用減音具２０を軽くできるので、第１接触部２２ｂによりエッジ部１３を打撃するときの打撃力を低減できる。これらの結果、打撃音の低減性能を向上できる。
【００４７】
ＡＢＳ樹脂製のシンバル用減音具２０は金属製のシンバル１０よりも剛性が低いので、被打撃部２３ａを打撃したときの衝撃を、シンバル用減音具２０（揺動支点部２１、第１揺動部２２及び第２揺動部２３）の変形により吸収して第１接触部２２ｂへ伝達できる。その結果、第１接触部２２ｂによりエッジ部１３を打撃するときの打撃力を低減できるので、打撃音の低減性能を向上できる。さらに、肉抜き孔２４によりシンバル用減音具２０の剛性を低下できるので、シンバル用減音具２０の変形による衝撃の吸収性能を向上でき、打撃音の低減性能をより向上できる。
【００４８】
被打撃部２３ａの高さが非揺動時の第１接触部２２ｂとエッジ部１３との距離の２倍以上に設定されるので、被打撃部２３ａをスティックＳにより打撃して第１接触部２２ｂとエッジ部１３とが接触した状態（図４参照）でも被打撃部２３ａの先端がシンバル１０の外周端よりもロッド２の先端側に位置する。そのため、被打撃部２３ａ側のエッジ部１３とスティックＳとが接触することを抑制できる。このとき、打撃によってシンバル用減音具２０が大きく変形してエッジ部１３とスティックＳとが接触するおそれがあるが、ＡＢＳ樹脂製のシンバル用減音具２０は所定の剛性を有するので、シンバル用減音具２０の大きな変形を抑制できる。そのため、被打撃部２３ａを奏者が打撃したとき、エッジ部１３とスティックＳとが接触することをより抑制できる。
【００４９】
第１揺動部２２及び第２揺動部２３は、径方向における傾斜がボウ部１２及びエッジ部１３の傾斜よりも緩やかに形成されるので、非揺動時の第１接触部２２ｂ及び第２接触部２３ｂとエッジ部１３とを近づけることができる。これにより、被打撃部２３ａを比較的弱く打撃した場合でも、第１接触部２２ｂ及び第２接触部２３ｂとエッジ部１３とを接触させ易くできる。
【００５０】
シンバル用減音具２０には振動センサ２６が装着されるので、被打撃部２３ａを打撃したときのシンバル用減音具２０の振動を検出できる。振動センサ２６を音源装置（図示せず）に繋げることで、シンバル用減音具２０を装着したアコースティックのシンバル１０を電子シンバルとして利用できる。シンバル用減音具２０はアコースティックのシンバル１０特有の打撃音を残存させるので、アコースティックのシンバル１０特有の打撃音と電子シンバルによる電子音とを同時に発音できる。
【００５１】
第２揺動部２３の外縁に沿って接触センサ２８が第２揺動部２３の裏面に設けられるので、第２揺動部２３の外縁付近（第２接触部２３ｂの裏面側）の接触を検知できる。例えば、エッジ部１３と共に第２揺動部２３の外縁付近を奏者が掴むことで、接触センサ２８が接触を検出できる。接触センサ２８を音源装置に繋げることで、接触センサ２８が接触を検出したときに電子シンバルによる電子音をミュートする制御ができる。そのため、シンバル用減音具２０を装着したシンバル１０を電子シンバルとして利用する場合でもチョーク奏法ができる。
【００５２】
次に、図６を参照して第２実施の形態について説明する。第１実施の形態では、シンバル用減音具２０の第１揺動部２２及び第２揺動部２３に５つの肉抜き孔２４が設けられる場合について説明した。これに対し第２実施の形態では、シンバル用減音具３０の第１揺動部３１及び第２揺動部３２に肉抜き孔を設けない場合について説明する。なお、第１実施の形態と同一の部分については、同一の符号を付して以下の説明を省略する。図６は第２実施の形態におけるシンバル用減音具３０の底面図である。
【００５３】
図６に示すように、シンバル用減音具３０は、奏者がシンバル１０のエッジ部１３を打撃するときの打撃音を低減させるためのＡＢＳ樹脂製の円板状の器具である。シンバル用減音具３０は、中心部分に形成される揺動支点部２１と、揺動支点部２１から延びる第１揺動部３１と、揺動支点部２１から第１揺動部３１とは反対側へ延びる第２揺動部３２とを備えている。
【００５４】
第１揺動部３１は、揺動支点部２１の外縁から鍔状に延びて設けられる円環状の部位のうち、奏者から離れた側（矢印Ｂ方向側）の半周部分である。第２揺動部３２は、揺動支点部２１の外縁から鍔状に延びて設けられる円環状の部位のうち、奏者側（矢印Ｆ方向側）の半周部分である。第１揺動部３１及び第２揺動部３２は、揺動支点部２１の傾斜よりも緩やかに径方向外側へ向けて下降傾斜するように形成される。
【００５５】
シンバル用減音具３０の第１揺動部３１及び第２揺動部３２は肉抜き孔を備えていないので、ロッド２を介してシンバル用減音具３０を装着したシンバル１０のエッジ部１３を奏者が打撃するとき、シンバル１０の裏面側からの打撃音をシンバル用減音具３０により遮ることができる。これにより、打撃音の低減性能を向上できる。
【００５６】
次に、図７、図８及び図９を参照して第３実施の形態について説明する。第１実施の形態では、クラッシュシンバルにシンバル用減音具２０が適用される場合について説明した。これに対し、第３実施の形態では、ハイハットシンバルにシンバル用減音具６０を適用する場合について説明する。なお、第１実施の形態と同一の部分については、同一の符号を付して以下の説明を省略する。
【００５７】
図７はクローズ状態のハイハットスタンド７０に支持されたハイハットシンバル及び第３実施の形態におけるシンバル用減音具６０の断面図であり、図８は、オープン状態のハイハットスタンド７０に支持されたハイハットシンバル及びシンバル用減音具６０の断面図であり、図９はシンバル用減音具６０の底面図である。
【００５８】
図７に示すように、ハイハットシンバルは、口径が同一である２枚のシンバル４０，５０を裏面が向かい合うように重ね合わせてハイハットスタンド７０に支持したものである。シンバル４０，５０のうち、上側に位置するものをトップハイハット４０、下側に位置するものをボトムハイハット５０と言う。ハイハットシンバルにシンバル用減音具６０を適用する場合、奏者により打撃されるトップハイハット４０にシンバル用減音具６０を装着する。なお、トップハイハット４０及びボトムハイハット５０は、第１実施の形態におけるシンバル１０と構成が同一であるので説明は省略する。
【００５９】
図９に示すように、シンバル用減音具６０は、奏者がトップハイハット４０のエッジ部１３を打撃するときの打撃音を低減させるためのＡＢＳ樹脂製の円板状の器具であり、中心部分に形成される揺動支点部２１と、揺動支点部２１から延びる第１揺動部２２と、揺動支点部２１から第１揺動部とは反対側へ延びる第２揺動部２３とを備えている。
【００６０】
シンバル用減音具６０は、第１揺動部２２及び第２揺動部２３の境界付近であって、トップハイハット４０に装着されたときにトップハイハット４０の外周端と対向する位置の裏面に一対の接触センサ６１が装着される。一対の接触センサ６１は、接触センサ６１自身への接触を検出するシート状のメンブレンスイッチであり、揺動支点孔２１ａを挟んで対称に位置する。
【００６１】
図７に戻ってハイハットスタンド７０の詳細構成を説明する。ハイハットスタンド７０は、ボトムハイハット５０の設置高さを調整可能な中空シャフト７１と、中空シャフト７１に挿入されると共に踏み込み式のペダル（図示せず）の操作に応じて上下動するロッド７２と、トップハイハット４０を支持するトップ支持部と、ボトムハイハット５０を支持するボトム支持部７３とを備えている。ハイハットスタンド７０は、中空シャフト７１の下端に連結される脚部（図示せず）により自立可能に構成される。
【００６２】
ボトム支持部７３は、中空シャフト７１の上端に設けられる部位であり、ボトム支持部７３の上面から突出するボトムシャフトにボトムワッシャ７４が差し込まれる。ボトム支持部７３のボトムシャフトにボトムハイハット５０を差し込むことで、ボトムワッシャ７４を介してボトム支持部７３の上面にボトムハイハット５０が支持される。さらに、中心に孔を設けた円形状のゴムシートＲをロッド７２に差し込んで、ボトムハイハット５０の上にゴムシートＲを設置する。ボトムワッシャ７４はフェルトにより構成される円筒状の部材であるので、ボトムワッシャ７４が所定の弾性を有し、ボトムハイハット５０がボトム支持部７３に揺動可能に支持される。
【００６３】
トップ支持部は、ロッド７２が挿入されてロッド７２に固定される、下端側にめねじが設けられる固定部７５と、ロッド７２が挿入されて外周面の所定箇所におねじが設けられる円筒部７６と、円筒部７６の下端側に取り付けられる下部ナット７７と、円筒部７６の上端側に取り付けられる２つの上部ナット７８とを備えている。固定部７５は、蝶ボルト７５ａを締めることで固定部７５（トップ支持部）がロッド７２に固定される。蝶ボルト７５ａを緩めることで、ロッド７２の軸方向におけるトップ支持部の位置を調整できる。固定部７５のロックボルト７５ｂは、奏者にとって蝶ボルト７５ａを調整し易い向きに固定するためのものである。
【００６４】
円筒部７６に下部ナット７７を取り付けた状態で、円筒部７６の上端からシンバルワッシャ３、シンバル用減音具６０、シンバルワッシャ３、トップハイハット４０、シンバルワッシャ３を順に差し込んで円筒部７６に２つの上部ナット７８を取り付け、円筒部７６に固定部７５を取り付ける。これにより、上部ナット７８と下部ナット７７との間でシンバルワッシャ３にそれぞれ挟まれたトップハイハット４０及びシンバル用減音具６０がトップ支持部に支持され、円筒部７６（トップ支持部）を介してシンバル用減音具６０がトップハイハット４０に装着される。次いで、固定部７５をロッド７２に固定することで、トップハイハット４０及びシンバル用減音具６０がハイハットスタンド７０に装着される。なお、２つの上部ナット７８の締付を調整することで、上部ナット７８と下部ナット７７との間の距離を調整できる。
【００６５】
ハイハットスタンド７０は、図示しないペダルを踏み込んでいるとき、トップハイハット４０及びボトムハイハット５０がシンバル用減音具６０を挟み込むようになる。このとき、ペダルの踏み込みの力によりトップハイハット４０とシンバル用減音具６０との間のシンバルワッシャ３が潰れることでトップハイハット４０とシンバル用減音具６０とが互いに接触する。さらに、シンバル用減音具６０がボトムハイハット５０に支えられるため、下部ナット７７上のシンバルワッシャ３とシンバル用減音具６０との間に隙間が生じる。このように、トップハイハット４０及びボトムハイハット５０とシンバル用減音具６０とがそれぞれ接触した状態をクローズ状態と言う。
【００６６】
クローズ状態では、シンバル用減音具６０とボトムハイハット５０の外縁とが全周に亘って接触し、シンバル用減音具６０とトップハイハット４０のエッジ部１３とが全周に亘って線状に接触する。クローズ状態でトップハイハット４０を奏者が打撃すると、トップハイハット４０の振動がシンバル用減音具６０及びボトムハイハット５０により妨げられて、打撃音の余韻が殆どなくなる。金属製のトップハイハット４０とボトムハイハット５０との間にＡＢＳ樹脂製のシンバル用減音具６０が設けられるので、金属同士の接触音の発生を防止できると共に打撃による衝撃をシンバル用減音具６０により緩衝できる。その結果、クローズ状態の打撃音を低減できる。
【００６７】
なお、シンバル用減音具６０とトップハイハット４０のエッジ部１３とがクローズ状態で全周に亘って面接触するようにシンバル用減音具６０の径方向における傾斜を設定することが可能である。この場合、シンバル用減音具６０とトップハイハット４０とが線状に接触する場合に比べて、トップハイハット４０とシンバル用減音具６０との接触面積を広げることができるので、シンバル用減音具６０による緩衝性能を向上でき、クローズ状態の打撃音の低減性能を向上できる。
【００６８】
トップハイハット４０のエッジ部１３を奏者が打撃するときには、エッジ部１３の代わりにシンバル用減音具６０が打撃されるので、打撃音を低減できる。また、ボトムハイハット５０上にゴムシートＲが設置されるので、クローズ状態でトップハイハット４０を奏者が打撃したときにボトムハイハット５０へ打撃による衝撃が伝わるが、ゴムシートＲによりボトムハイハット５０からの打撃音を低減できる。
【００６９】
図８に示すように、ロッド７２を上下動させるペダルの踏み込みを解除すると、ロッド７２に固定されたトップ支持部がロッド７２と共に上方移動する。これにより、ボトムハイハット５０からトップハイハット４０及びシンバル用減音具６０が離れ、下部ナット７７上のシンバルワッシャ３とシンバル用減音具６０との間の隙間がなくなる。さらに、トップハイハット４０とシンバル用減音具６０との間で潰れたシンバルワッシャ３が元に戻ることで、トップハイハット４０とシンバル用減音具６０とが互いに離れる。このように、トップハイハット４０及びボトムハイハット５０とシンバル用減音具６０とがそれぞれ離れた状態をオープン状態と言う。
【００７０】
オープン状態でトップハイハット４０のエッジ部１３を奏者が打撃するとき、第１実施の形態と同様にエッジ部１３の代わりに被打撃部２３ａを打撃することができるので、打撃音を低減させつつ、音質の変化を抑制できると共に打撃後の余韻を残存させることができる。ハイハットシンバルでは、打撃後の余韻が残存している間にオープン状態からクローズ状態にすることで、シンバル用減音具６０及びボトムハイハット５０によりトップハイハット４０の振動を早期に減衰して打撃後の余韻をなくすことができる。オープン状態からクローズ状態にするとき、ＡＢＳ樹脂製のシンバル用減音具６０により金属同士の接触音の発生を防止できる。
【００７１】
オープン状態でトップハイハット４０を奏者が打撃すると、揺動したシンバル用減音具６０がボトムハイハット５０に接触してボトムハイハット５０から打撃音が発生するおそれがある。しかし、ボトムハイハット５０上にゴムシートＲが設置されるので、オープン状態でシンバル用減音具６０と接触したボトムハイハット５０からの打撃音を抑制できる。
【００７２】
シンバル用減音具６０に装着された振動センサ２６及び接触センサ６１を音源装置（図示せず）に接続して、ハイハットシンバルをハイハット型の電子シンバルとして利用する場合、接触センサ６１によりオープン状態かクローズ状態かを判断できる。クローズ状態ではシンバル用減音具６０とボトムハイハット５０の外縁とが全周に亘って接触するので、トップハイハット４０の外周端と対向する位置の裏面に設けられる一対の接触センサ６１の両方がボトムハイハット５０と接触する。
【００７３】
オープン状態でシンバル用減音具６０及びボトムハイハット５０の少なくとも一方が揺動しているとき、その揺動によりボトムハイハット５０がシンバル用減音具６０の接触センサ６１に接触するおそれがある。しかし、一対の接触センサ６１は、シンバル用減音具６０の揺動支点である揺動支点孔２１ａを挟んで対称位置にあるので、オープン状態で一対の接触センサ６１の両方とボトムハイハット５０とが接触することはない。従って、一対の接触センサ６１の両方がボトムハイハット５０との接触を検知しているときのみ、クローズ状態と判断でき、その他の場合はオープン状態と判断できる。
【００７４】
次に、図１０及び図１１を参照して第４実施の形態について説明する。第１実施の形態では、シンバル用減音具２０がシンバルスタンド１に直接支持される場合について説明した。これに対し、第４実施の形態では、シンバル用減音具９０が減音具支持部８０を介してシンバルスタンド１に支持される場合について説明する。なお、第１実施の形態と同一の部分については、同一の符号を付して以下の説明を省略する。図１０はシンバルスタンド１に支持されたシンバル１０及び第４実施の形態におけるシンバル用減音具９０の断面図であり、図１１はシンバル用減音具９０の底面図である。
【００７５】
図１０に示すように、減音具支持部８０は、シンバルスタンド１のロッド２から延びてシンバル用減音具９０を支持する器具である。減音具支持部８０は、基端がロッド２に固定されてロッド２から奏者側へ延びる金属製のアーム８１と、アーム８１の先端に形成されるワッシャ状の金属製の円環部８２と、円環部８２に先端が挿入される棒状の減音具ロッド８３と、減音具ロッド８３が挿入される２つの揺動支持ワッシャ８４と、減音具ロッド８３の先端に取り付けられる締付ナット８５とを備えている。
【００７６】
減音具ロッド８３は、金属製の部材であり、基端に鍔状のフランジ部８３ａが形成され、減音具ロッド８３の先端側の外周におねじが設けられる。フランジ部８３ａは、外径が円環部８２の外径と略同等に設定される。揺動支持ワッシャ８４は、フェルトにより構成される円筒状の部材であり、揺動支持ワッシャ８４の外径が円環部８２及びフランジ部８３ａの外径と略同等に設定される。
【００７７】
締付ナット８５は、減音具ロッド８３に設けられたおねじに取り付けられるナットである。減音具ロッド８３の先端を円環部８２に挿入した状態で減音具ロッド８３の先端に締付ナット８５を取り付けることで、円環部８２に減音具ロッド８３が固定される。
【００７８】
図１０及び図１１に示すように、シンバル用減音具９０は、奏者がシンバル１０のエッジ部１３を打撃するときの打撃音を低減させるための器具である。シンバル用減音具９０は、板状の部材であり、揺動支点部９１と、揺動支点部９１から奏者とは反対側に延びる第１揺動部９２と、揺動支点部９１から奏者側に延びる第２揺動部９３とを備えている。
【００７９】
揺動支点部９１は、ＡＢＳ樹脂製の部位であり、減音具ロッド８３が挿入される揺動支持孔９１ａが揺動支点部９１を板厚方向に貫通して設けられる。第１揺動部９２は、ＡＢＳ樹脂により構成される、揺動支点部９１から離れた側が減音具ロッド８３の基端側へ向けて屈曲したＬ字状に形成される部位である。第１揺動部９２は、揺動支点部９１から離れた端部（矢印Ｂ方向側の端部）にゴムにより構成される第１接触部９２ｂが設けられる。
【００８０】
第２揺動部９３は、ＡＢＳ樹脂により構成される、揺動支点部９１を略中心にして放射状に広がる扇板状の部位である。第２揺動部９３は、外縁部にゴムにより構成される被打撃部９３ａが設けられる。シンバル用減音具９０は、揺動支点部９１（シンバル用減音具９０）の揺動によりシンバル１０と接触する第２接触部９３ｂが第２揺動部９３に設けられる。本実施の形態では、第２接触部９３ｂは、減音具支持部８０にシンバル用減音具９０を装着したときに、シンバル用減音具９０のエッジ部１３と対向する面である。
【００８１】
減音具支持部８０にシンバル用減音具９０を装着するには、減音具ロッド８３を揺動支持ワッシャ８４、シンバル用減音具９０、揺動支持ワッシャ８４、円環部８２に順に差し込み、締付ナット８５を減音具ロッド８３に締め付ける。これにより、フランジ部８３ａと円環部８２との間で揺動支持ワッシャ８４に挟まれたシンバル用減音具９０が締付固定される。なお、本実施の形態ではシンバル用減音具９０のうち揺動支持ワッシャ８４に挟まれた円形状の範囲を揺動支点部９１とする。
【００８２】
フェルト製の揺動支持ワッシャ８４は所定の弾性を有するので、シンバル用減音具９０は減音具支持部８０（減音具ロッド８３）に揺動可能に支持される。シンバル用減音具９０は、第１揺動部９２と比べて第２揺動部９３が重いため、第１揺動部９２に金属製の錘９４を設けることで、非揺動時の第１揺動部９２及び第２揺動部９３が減音具ロッド８３の軸心に対して垂直に延びるように調整される。このように調整された第１揺動部９２及び第２揺動部９３は、非揺動時にシンバル１０との非接触状態が維持される。また、締付ナット８５による締付を調整することで、シンバル用減音具９０の揺動の仕方を調整できる。
【００８３】
シンバル用減音具９０を装着したシンバル１０のエッジ部１３を打撃するとき、エッジ部１３の代わりに被打撃部９３ａを打撃できる。エッジ部１３と被打撃部９３ａとの水平距離が遠い程、エッジ部１３を奏者が打撃するとき、エッジ部１３の代わりに被打撃部９３ａを打撃し易くできる。
【００８４】
被打撃部９３ａが奏者により打撃された場合には、第１実施の形態と略同様にシンバル用減音具９０及びシンバル１０が揺動して互いに接触するので、打撃音を低減させつつ、音質の変化を抑制できると共に打撃後の余韻を残存させることができる。なお、被打撃部９３ａが奏者により打撃された場合、本実施の形態では第１接触部９２ｂがボウ部１２を打撃してボウ部１２を打撃したときの音色が発生する点で、第１実施の形態と異なる。
【００８５】
ゴム製の被打撃部９３ａは所定の弾性を有するので、奏者が被打撃部９３ａを打撃したときの衝撃を被打撃部９３ａにより緩衝できる。その結果、打撃音の低減性能を向上できる。また、ゴム製の第１接触部９２ｂは所定の弾性を有するので、第１接触部９２ｂがボウ部１２を打撃したときの衝撃を第１接触部９２ｂにより緩衝できる。その結果、打撃音の低減性能を向上できる。
【００８６】
ロッド２から奏者側へ延びるアーム８１の先端にシンバル用減音具９０が支持されるので、エッジ部１３から径方向外側へ被打撃部９３ａが飛び出る部分はエッジ部１３の全周のうち奏者側の一部である。奏者が打撃し易い部分にのみ被打撃部９３ａが位置するので、シンバル用減音具９０を軽量化できると共にシンバル用減音具９０をコンパクトにできる。また、被打撃部９３ａが飛び出ていない部分のエッジ部１３を叩くことで、エッジ部１３を打撃したときの通常の打撃音を発生させることができる。
【００８７】
次に、図１２を参照して第５実施の形態について説明する。第１実施の形態では、揺動時にシンバル用減音具２０の第１接触部２２ｂ及び第２接触部２３ｂがエッジ部１３を打撃する場合について説明した。これに対し、第５実施の形態では、揺動時にシンバル用減音具１００の第１接触部１０１及び第２接触部１０２がボウ部１２を打撃する場合について説明する。なお、第１実施の形態と同一の部分については、同一の符号を付して以下の説明を省略する。図１２はシンバルスタンド１に支持されたシンバル１０及び第５実施の形態におけるシンバル用減音具１００の断面図である。
【００８８】
図１２に示すように、シンバル用減音具１００は、奏者がシンバル１０のエッジ部１３を打撃するときの打撃音を低減させるための円板状の器具である。シンバル用減音具１００は、中心部分に形成されるＡＢＳ樹脂製の揺動支点部２１と、揺動支点部２１から延びるＡＢＳ樹脂製の第１揺動部２２と、揺動支点部２１から第１揺動部２２とは反対側へ延びるＡＢＳ樹脂製の第２揺動部２３と、第１揺動部２２に設けられる第１接触部１０１と、第２揺動部２３に設けられる第２接触部１０２とを備えている。
【００８９】
第１接触部１０１及び第２接触部１０２は、揺動支点部２１（シンバル用減音具１００）の揺動によりシンバル１０と接触するゴム製の円環状の部材であり、第１揺動部２２及び第２揺動部２３のボウ部１２と対向する部分に基端が接着されて先端がシンバル１０へ向かって延びる。揺動時に、第１揺動部２２及び第２揺動部２３がシンバル１０に接触せず、第１接触部１０１及び第２接触部１０２がシンバル１０に接触するように、シンバル１０とシンバル用減音具１００との間のシンバルワッシャ３の高さ（矢印Ｕ−Ｄ方向の寸法）を設定して、シンバル１０とシンバル用減音具１００との距離を設定する。
【００９０】
なお、第１接触部１０１及び第２接触部１０２を構成する円環状の部材のうち、第１揺動部２２側の半周が第１接触部１０１であり、第２揺動部２３側の半周が第２接触部１０２である。また、円環状の第１接触部１０１及び第２接触部１０２に限らず、第１接触部１０１及び第２接触部１０２を複数の円弧状の部材や、複数の板状の部材、複数の軸状の部材により構成することが可能である。また、第１揺動部２２及び第２揺動部２３への第１接触部１０１及び第２接触部１０２の固定は接着に限らず、ボルトや嵌め込み等を適用することが可能である。
【００９１】
シンバル用減音具１００を装着したシンバル１０のエッジ部１３を奏者が打撃するとき、エッジ部１３の代わりに被打撃部２３ａが奏者により打撃される。これにより、第１実施の形態と略同様にシンバル用減音具１００及びシンバル１０が揺動して、第１接触部１０１及び第２接触部１０２とシンバル１０とが接触するので、打撃音を低減させつつ、音質の変化を抑制できると共に打撃後の余韻を残存させることができる。
【００９２】
本実施の形態では、エッジ部１３を打撃するときに被打撃部２３ａが打撃されて、第１接触部１０１及び第２接触部１０２がボウ部１２を打撃するので、ボウ部１２を打撃したときの音色が発生する。また、第１接触部１０１及び第２接触部１０２がボウ部１２を打撃するので、第１接触部１０１及び第２接触部１０２がエッジ部１３を打撃する場合に比べて、第１接触部１０１及び第２接触部１０２を揺動支点部２１（ロッド２）に近づけることができる。シンバル用減音具１００の揺動時には揺動支点部２１に近い部位ほど遅く動くので、第１接触部１０１及び第２接触部１０２がエッジ部１３を打撃する場合に比べて、第１接触部１０１及び第２接触部１０２がボウ部１２を打撃する場合の打撃音をより低減できる。なお、第１接触部１０１及び第２接触部１０２を揺動支点部２１に近づける程、打撃音の低減性能を向上できる。
【００９３】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記第１，２，４，５実施の形態ではクラッシュシンバルであるシンバル１０にシンバル用減音具２０，３０，９０，１００が装着される場合について、上記第３実施の形態ではハイハットシンバルのトップハイハット４０にシンバル用減音具６０が装着される場合について説明したが、必ずしもこれに限られるものではなく、ライドシンバルやスプラッシュシンバル、チャイナシンバルにシンバル用減音具を装着することは当然可能である。
【００９４】
上記各実施の形態では、シンバル用減音具２０，３０，６０，９０，１００（第１揺動部２２，９２及び第２揺動部２３，９３）が主にＡＢＳ樹脂製である場合について説明したが、必ずしもこれに限られるものではない。シンバル用減音具２０，３０，６０，９０，１００の素材は、被打撃部２３ａ，９３ａへの打撃により破損し難い強度、シンバル用減音具２０，３０，６０，９０，１００の変形により第１接触部２２ｂ，９２ｂ，１０１がシンバル１０（トップハイハット４０）を打撃できる剛性を有すれば、ＡＢＳ樹脂以外の合成樹脂や硬質のゴム、金属、木材を用いることが可能である。シンバル用減音具２０，３０，６０，９０，１００がＡＢＳ樹脂以外の合成樹脂製や硬質のゴム製、木製であれば、金属製のシンバル１０（トップハイハット４０）よりも剛性が低いので、打撃音の低減性能を向上できる。
【００９５】
シンバル用減音具２０，３０，６０，９０，１００が金属製の場合、被打撃部２３ａ，９３ａを打撃するとシンバル用減音具２０，３０，６０，９０，１００が比較的大きな打撃音を発生する。但し、シンバル用減音具２０，３０，６０，９０，１００の重さや厚さ、金属の種類等を調整することで、シンバル１０（トップハイハット４０）を直接打撃したときの打撃音よりも、被打撃部２３ａ，９３ａを打撃したときの打撃音を低減できる。また、第１揺動部２２，９２及び第２揺動部２３，９３の一方をＡＢＳ樹脂（合成樹脂や硬質のゴム）製とし、第１揺動部２２，９２及び第２揺動部２３，９３の他方を金属製とすることも可能である。
【００９６】
上記各実施の形態では、シンバルワッシャ３、ボトムワッシャ７４、揺動支持ワッシャ８４がフェルトにより構成される場合について説明したが、必ずしもこれに限られるものではなく、シンバルワッシャ３、ボトムワッシャ７４、揺動支持ワッシャ８４の素材は所定の弾性を有するものに適宜変更可能である。例えば、ゴムや熱可塑性エラストマ、ポリウレタンフォーム等の発泡合成樹脂などが挙げられる。
【００９７】
上記第４実施の形態では、第１接触部９２ｂ及び被打撃部９３ａがゴム製である場合、上記第５実施の形態では、第１接触部１０１及び第２接触部１０２がゴム製である場合について説明したが、必ずしもこれに限られるものではなく、第１接触部９２ｂ，１０１、第２接触部１０２及び被打撃部９３ａの素材は所定の弾性を有するものに適宜変更可能である。例えば、第１接触部９２ｂ，１０１、第２接触部１０２及び被打撃部９３ａの素材としては、熱可塑性エラストマ、ポリウレタンフォーム等の発泡合成樹脂、フェルトなどが挙げられる。
【００９８】
上記第１〜３，５実施の形態では、揺動支点部２１の外縁から鍔状に延びて設けられる円環状の部位のうち、奏者から離れた側の半周部分が第１揺動部２２であり、奏者側の半周部分が第２揺動部２３である場合について説明したが、必ずしもこれに限られるものではなく、奏者がシンバル用減音具を打撃する位置によって第１揺動部および第２揺動部の位置は変化する。奏者により打撃される側が第２揺動部であり、奏者により打撃される側に対して揺動支点部２１（揺動支点孔２１ａ）を挟んで反対側が第１揺動部である。例えば、図３において、奏者から離れた側（矢印Ｂ方向側）の被打撃部２２ａを打撃するときには、第１揺動部２３、第２揺動部２２、第１接触部２３ｂ、第１接触部２２ｂとなる。なお、第１揺動部側の被打撃部は奏者により打撃されることがないので、第１揺動部に設けられる被打撃部を省略することは当然可能である。
【００９９】
また、揺動支点部２１の外縁から延びる部分を扇状や多角形状とすることも可能である。この場合も同様に奏者がシンバル用減音具を打撃する位置によって第１揺動部および第２揺動部が決定される。なお、揺動支点部２１（揺動支点孔２１ａ）を挟んで第１揺動部と第２揺動部とを非対称にすることは当然可能であり、例えば、第１揺動部を扇状、第２揺動部を矩形状に形成することも可能である。
【０１００】
上記第１〜３，５実施の形態では、第１揺動部２２及び第２揺動部２３の外縁の全周から略垂直に被打撃部２２ａ，２３ａがエッジ部１３に沿って立ち上がる場合について説明したが、必ずしもこれに限られるものではない。第１揺動部２２及び第２揺動部２３の外縁から湾曲して立ち上がるように被打撃部を設けることは当然可能である。また、第１揺動部２２及び第２揺動部２３の外縁の一部に被打撃部を設けることも可能である。また、エッジ部１３に沿って被打撃部が立ち上がる場合、エッジ部１３と被打撃部との水平距離が近い程、被打撃部の高さを大きく設定することが好ましい。これにより、エッジ部１３を奏者が打撃するとき、エッジ部１３の代わりに被打撃部を打撃し易くできる。
【０１０１】
上記各実施の形態では、奏者が被打撃部２３ａ，９３ａを打撃して第１接触部２２ｂ，９２ｂ，１０１がシンバル１０（トップハイハット４０）と接触した後、第２接触部２３ｂ，９３ｂ，１０２がシンバル１０（トップハイハット４０）と接触する場合について説明したが、必ずしもこれに限られるものではなく、第２接触部２３ｂ，９３ｂ，１０２を設けないことは当然可能である。例えば、第２揺動部２３，９３のエッジ部１３に対向する面とエッジ部１３とを所定距離離すことで、シンバル用減音具２０，３０，６０，９０，１００の第２揺動部２３，９３側が揺動時にシンバル１０（トップハイハット４０）と接触しないように（第２接触部２３ｂ，９３ｂ，１０２を省略）できる。
【０１０２】
この場合、シンバル１０（トップハイハット４０）及びシンバル用減音具２０，３０，６０，９０，１００の揺動の１周期毎にシンバル１０（トップハイハット４０）とシンバル用減音具２０，３０，６０，９０，１００とが１回接触する。逆に言えば、第２接触部２３ｂ，９３ｂ，１０２を設けることで、シンバル１０（トップハイハット４０）及びシンバル用減音具２０，３０，６０，９０，１００の揺動の１周期毎にシンバル１０（トップハイハット４０）とシンバル用減音具２０，３０，６０，９０，１００とが２回接触するので、揺動の１周期毎に１回接触する場合に比べて、所定の音量まで打撃後の余韻をより早期に減衰できる。
【０１０３】
上記第１〜３，５実施の形態では、振動センサ２６がピエゾセンサであり、接触センサ２８，６１がシート状のメンブレンスイッチである場合について説明したが、必ずしもこれに限られるものではなく、振動を検出できる他のセンサ、接触を検出できる他のセンサをそれぞれ用いることは当然可能である。ピエゾセンサ以外の振動を検出できるセンサとしては、圧電型のセンサや動電型のセンサ、静電容量型のセンサなどが挙げられる。また、シート状のメンブレンスイッチ以外の接触を検出できるセンサとしては、導電ゴムセンサやケーブルセンサ、振動センサ、静電容量方式のタッチセンサなどが挙げられる。
【０１０４】
上記第４実施の形態では、減音具支持部８０を介してシンバル用減音具９０がシンバルスタンド１に支持される場合について説明したが、必ずしもこれに限られるものではなく、アーム８１を省略して減音具ロッド８３の基端をシンバル１０まで延ばし、減音具ロッド８３をシンバル１０に固定することで、減音具支持部を介してシンバル用減音具９０をシンバル１０に支持することも可能である。但し、この場合、シンバル１０の自由な振動が減音具支持部により妨げられてシンバル１０の打撃音が変わってしまう。また、シンバルスタンド１から延びる減音具支持部８０によりシンバル用減音具９０が支持される場合に限らず、シンバルスタンド１とは別のスタンドによりシンバル用減音具９０を支持することも可能である。また、第１接触部９２ｂがエッジ部１３やベル部１１を打撃するようにシンバル用減音具９０の寸法を調節することも可能である。
【０１０５】
また、上記各実施の形態のいずれかの一部または全部を、他の実施の形態の一部または全部と組み合わせることは可能である。また、上記各実施の形態のうちの一部の構成を省略することも可能である。例えば、第１〜３，５実施の形態におけるＡＢＳ樹脂製の被打撃部２２ａ，２３ａを、第４実施における被打撃部９３ａのようにゴム製とすることは当然可能である。また、第１〜３実施の形態におけるＡＢＳ樹脂製の第１接触部２２ｂ及び第２接触部２３ｂ（第４実施の形態におけるＡＢＳ樹脂製の第２接触部９３ｂ）を、第４実施の形態における第１接触部９２ｂ（第５実施の形態における第１接触部１０１及び第２接触部１０２）のようにゴム製にすることが可能である。具体的には、ゴムシート等により構成した第１接触部２２ｂ及び第２接触部２３ｂ，９３ｂをＡＢＳ樹脂製の第１揺動部２２及び第２揺動部２３，９３に接着する。また、第１〜３，５実施の形態における振動センサ２６及び接触センサ２８，６１を省略することは当然可能である。また、第３実施の形態におけるゴムシートＲを省略することは当然可能である。
【符号の説明】
【０１０６】
１              シンバルスタンド（スタンド）
１０            シンバル
１３            エッジ部（外周端部）
２０，３０，６０，９０，１００  シンバル用減音具
２１，９１      揺動支点部
２２，９２      第１揺動部
２２ｂ，９２ｂ，１０１  第１接触部
２３，９３      第２揺動部
２３ａ，９３ａ  被打撃部
２３ｂ，９３ｂ，１０２  第２接触部
２６            振動センサ（第１センサ）
２８，６１      接触センサ（第２センサ）
４０            トップハイハット（シンバル）
７０            ハイハットスタンド（スタンド）
【図１】
2019117309.tif 000003
【図２】
2019117309.tif 000004
【図３】
2019117309.tif 000005
【図４】
2019117309.tif 000006
【図５】
2019117309.tif 000007
【図６】
2019117309.tif 000008
【図７】
2019117309.tif 000009
【図８】
2019117309.tif 000010
【図９】
2019117309.tif 000011
【図１０】
2019117309.tif 000012
【図１１】
2019117309.tif 000013
【図１２】
2019117309.tif 000014